(57)【要約】【課題】特定容量の複数倍の容量の内容物を計量し、取り出すことのできる計量容器を提供する。【解決手段】容器本体１とキャップ２とからなる計量容器１００であって、容器本体は、上端に容器側固定部１４が設けられ、キャップはキャップ本体２１と蓋部材２２とからなり、キャップ本体は、本体周壁２１１と中央の筒状軸２１２とが床板２１３で連結されてなり、本体周壁の床板の下方には容器本体の容器側固定部に固定するキャップ側固定部２１５が設けられ、蓋部材は、天面板２２１と天面板の周縁より下方に向かう蓋周壁２２２とを有し、蓋周壁が本体周壁の外側に重なるように被せられていて、筒状軸の上端は、天面板の下面より低く、間隔が開くように設けられ、かつ、容器側固定部とキャップ側固定部とを固定させたときに、筒状軸の下端と容器本体の容器底面１５との間に間隔が設けられている。【選択図】図１
2015081126.tif 000002
【特許請求の範囲】
【請求項１】
容器本体とキャップとからなる計量容器であって、
前記容器本体は、上端に容器側固定部が設けられ、前記キャップはキャップ本体と蓋部材とからなり、前記キャップ本体は、本体周壁と中央の筒状軸とが床板で連結されてなり、前記本体周壁の前記床板の下方には前記容器本体の容器側固定部に固定するキャップ側固定部が設けられ、前記蓋部材は、天面板と該天面板の周縁より下方に向かう蓋周壁とを有し、該蓋周壁が前記本体周壁の外側に重なるように被せられていて、前記筒状軸の上端は、前記天面板の下面より低く、間隔が開くように設けられ、かつ、前記容器側固定部と前記キャップ側固定部とを固定させたときに、前記筒状軸の下端と前記容器本体の容器底面との間に間隔が設けられていることを特徴とする計量容器。
【請求項２】
前記本体周壁と前記蓋周壁が、周方向に回転自在に嵌合されていて、前記蓋周壁には蓋側窓部が設けられ、前記キャップ本体の本体周壁に設けられた本体側窓部と重なり合うことによって、前記本体周壁と前記床板と前記筒状軸とで囲まれた空間が開放され、取出し口を形成することを特徴とする請求項１に記載の計量容器。
【請求項３】
前記容器底面が中央に向かって下がるように傾斜し、底面中央にくぼみ部が設けられていることを特徴とする請求項１または２に記載の計量容器。
【発明の詳細な説明】
【技術分野】
【０００１】
本発明は、計量容器に関するものである。特に、内容物の粉粒体を特定容量の複数倍を計量して取り出せる計量容器に関するものである。
【背景技術】
【０００２】
砂糖、塩、胡椒などの粉末調味料、粉ミルク、コーヒー、入浴剤、洗濯用粉末洗剤など、粉末の内容物、あるいは、顆粒状調味料、顆粒状コーヒー、顆粒状入浴剤、ドックフード、キャットフードなど、粒状の内容物は、必要に応じて特定容量の複数倍を計量して取出し用いられることが好ましい場合がある。
【０００３】
例えば、洗濯用粉末洗剤は、洗濯機に使用する水の量によって洗剤量を加減するが、必要に応じて特定容量の複数倍を計量して取出すことができれば、使用する水が３０リットルの場合は特定容量の３倍、５０リットルの場合は特定容量の５倍などとして、洗剤の使用量を計量できれば便利である。
【０００４】
しかし、これまでの計量容器では、特定の容量を計量して取り出すことはできても、特定容量の複数倍を計量して取出すことはできなかった。
【０００５】
例えば、図５のような、口頸部３１１を起立する容器本体３１０と、口頸部３１１内面へ嵌合させた計量栓３２０とからなる定量振出し容器３００がある。この計量栓３２０は、固定筒３２１と回動部材３２２とからなり、固定筒３２１は、口頸部３１１の上端面へ係合させたフランジ状頂壁３２３の内周縁から口頸部３１１内面へ嵌合させて嵌着筒３２４を垂下し、嵌着筒３２４の下端から内向きフランジ３２５を介して上方小径のテーパ状筒３２６が起立している。
【０００６】
回動部材３２２は、フランジ状頂壁３２３の後面に肉薄ヒンジ３２７を介して付設されていて、固定筒３２１上面を閉塞する頂板３２８を有し、頂板３２８の外周部下面から、嵌着筒３２４の上部内面へ着脱自在に嵌合させた係止筒３２９を垂下し、また、テーパ状筒３２６の上方の頂板３２８部分下面からテーパ状筒３２６の上端部を下部内へ遊挿させて計量筒３３０を垂下している。
【０００７】
この定量振出し容器３００を倒立させると、容器本体３１０内部の内容物が、テーパ状筒３２６を通って、回動部材３２２の計量筒３３０に溜まる。これを再度正立させると、計量筒３３０内の内容物は、嵌着筒３２４と内向きフランジ３２５とテーパ状筒３２６で囲まれた空間に移動する。
【０００８】
更にまた、倒立させると、内容物は計量筒３３０の外側の頂板３２８部分に穿設した収納物排出孔より振り出される。このようにして特定の容量の振出すことができる（特許文献１）。しかし、この定量振出し容器では、特定容量の複数倍を計量して取出すことはできない。
【０００９】
公知文献を以下に示す。
【先行技術文献】
【特許文献】
【００１０】
【特許文献１】特開平９−１１００６３号公報
【発明の概要】
【発明が解決しようとする課題】
【００１１】
本発明は上記のような事情に鑑みてなされたもので、特定容量の複数倍の容量の内容物を計量し、取り出すことのできる計量容器を提供することを課題としている。
【課題を解決するための手段】
【００１２】
本発明は係る課題に鑑みなされたものであり、請求項１の発明は、容器本体とキャップとからなる計量容器であって、
前記容器本体は、上端に容器側固定部が設けられ、前記キャップはキャップ本体と蓋部材とからなり、前記キャップ本体は、本体周壁と中央の筒状軸とが床板で連結されてなり、前記本体周壁の前記床板の下方には前記容器本体の容器側固定部に固定するキャップ側固定部が設けられ、前記蓋部材は、天面板と該天面板の周縁より下方に向かう蓋周壁とを有し、該蓋周壁が前記本体周壁の外側に重なるように被せられていて、前記筒状軸の上端は、前記天面板の下面より低く、間隔が開くように設けられ、かつ、前記容器側固定部と前記キャップ側固定部とを固定させたときに、前記筒状軸の下端と前記容器本体の容器底面との間に間隔が設けられていることを特徴とする計量容器である。
【００１３】
本発明の計量容器は、以上のような構成であって、１回倒立させる度に、筒状軸の下にある内容物が特定容量、筒状軸の中を通り、蓋部材の天面板の上に溜まり、正立させると、筒状軸と蓋部材の天面板との間を通って、キャップ本体の床板上に溜まる。この倒立、正立を複数回繰り返すと、特定容量の複数倍の容量の内容物が溜まるので、特定容量の複数倍の容量の内容物を計量し、取り出すことができる。
【００１４】
本発明の請求項２の発明は、前記本体周壁と前記蓋周壁が、周方向に回転自在に嵌合されていて、前記蓋周壁には蓋側窓部が設けられ、前記キャップ本体の本体周壁に設けられた本体側窓部と重なり合うことによって、前記本体周壁と前記床板と前記筒状軸とで囲まれた空間が開放され、取出し口を形成することを特徴とする請求項１に記載の計量容器である。
【００１５】
本発明は、本体周壁と蓋周壁が、回転自在に嵌合されていて、本体窓部と蓋窓部を重なるようにして開放し、取り出し口となるので、簡単に計量した内容物を取り出すことができる。
【００１６】
本発明の請求項３の発明は、前記容器底面が中央に向かって下がるように傾斜し、底面中央にくぼみ部が設けられていることを特徴とする請求項１または２に記載の計量容器である。
【００１７】
本発明は、容器底面が中央に向かって下がるように傾斜し、底面中央にくぼみ部が設けられているので、内容物が少なくなってきても、筒状軸の下に内容物を集めることができ、計量することができる。
【発明の効果】
【００１８】
本発明の計量容器は、１回倒立させる度に特定容量の内容物を計量して溜めることができるので、特定容量の複数倍の内容物を取り出すことができる。
【図面の簡単な説明】
【００１９】
【図１】本発明の計量容器の一例を模式的に断面で示した説明図である。
【図２】本発明の計量容器の一例の上部を模式的に正面で示した説明図である。
【図３】本発明の計量容器の他の例の上端部分を模式的に断面で示した説明図である。
【図４】（Ａ）、（Ｂ）本発明の計量容器で、容器本体の底部と筒状軸の形状の例を模式的に断面で示した説明図である。
【図５】従来の計量容器の一例を模式的に断面で示した説明図である。
【発明を実施するための形態】
【００２０】
以下、本発明を実施するための形態につき説明する。
図１は、本発明の計量容器の一例を模式的に断面で示した説明図である。
図２は、本発明の計量容器の一例の上部を模式的に正面で示した説明図である。
【００２１】
本例の計量容器１００は、図１の断面図に示すように、容器本体１とキャップ２からなっている。容器本体１は、太い胴部１１と、傾斜して上が細くなっている肩部１２と、キャップ２と勘合する口頚部１３とからなっている。
【００２２】
容器本体１の上端の口頚部１３の外側には容器側固定部１４の雄螺子が設けられている。また、胴部の下方内側には容器底面１５が設けられている。容器底面１５は中央に向かって下がるように傾斜し、底面中央に円柱上のくぼみ部１５１が設けられている。
【００２３】
キャップ２はキャップ本体２１と蓋部材２２とからなっている。キャップ本体２１は、外側の丸筒状の本体周壁２１１と中央の断面が円形の筒状軸２１２とが水平な床板２１３で連結されている。本体周壁２１１の上端部分の外側には、外方に出っ張った嵌合リング２１４が設けられている。
【００２４】
本体周壁２１１の床板２１３の下方には容器本体１の容器側固定部１４の雄螺子と螺合し固定するためのキャップ側固定部２１５の雌螺子が設けられている。また、本体周壁２１１より内側に床板２１３の下面から下方に伸びるインナーリング２１６が設けられ、容器本体１とキャップ２の密封性を高めている。更にまた、本体周壁２１１には、貫通孔からなる本体側窓部２１７が設けられている。
【００２５】
そして、容器側固定部１４とキャップ側固定部２１５とを螺合させ、固定したときに、筒状軸２１２の下端と容器本体１の容器底面１５との間に間隔が開くようになっている。このため、計量容器を倒立させると、筒状軸２１２と容器底面１５の間の特定容量の内容物が筒状軸２１２の中を通って、蓋部材２２側に移動する。
【００２６】
蓋部材２２は、円形の天面板２２１と天面板２２１の周縁より下方に向かう蓋周壁２２２とからなっている。そして、蓋周壁２２２がキャップ本体２１の本体周壁２１１の外側に重なるように被せられている。
【００２７】
また、蓋周壁２２２の内面の上端部分には、リング状の嵌合溝２２３が設けられていて、本体周壁２１１の嵌合リング２１４が嵌り込んで嵌合し、蓋部材２２がキャップ本体２１と周方向に回転自在になっている。嵌合溝２２３に嵌合リング２１４を嵌合させたときに、筒状軸２１２の上端は、蓋部材２２の天面板２２１下面より低く、間隔が開くようになっている。
【００２８】
蓋周壁２２２には貫通孔による蓋側窓部２２４が設けられていて、蓋部材２２をキャップ本体２１に対して周方向に回転させると、本体側窓部２１７に蓋側窓部２２４が重なって、キャップ２内の本体周壁２１１と床板２１３と筒状軸２１２とで囲まれた空間が、外部と連通し開放され、取出し口が形成される。
【００２９】
このようになっているので、計量容器を倒立させて筒状軸２１２の中を通った内容物は、再度正立させると、間隔が開いた筒状軸２１２と天面板２２１との間を通って、本体周壁２１１と床板２１３と筒状軸２１２とで囲まれた空間に入り込む。
【００３０】
この倒立と正立を繰り返す度に、筒状軸２１２と容器底面１５の間の特定容量の内容物が、本体周壁２１１と床板２１３と筒状軸２１２とで囲まれた空間に入り込む。この様に、倒立と正立を繰り返した数だけ、特定容量の内容物が送られて本体周壁２１１と床板２１３と筒状軸２１２とで囲まれた空間に入るので、特定容量の複数倍の容量の内容物を計量することができる。
【００３１】
そして、蓋部材２２をキャップ本体２１に対して周方向に回転させ、本体側窓部２１７に蓋側窓部２２４を重ね合わせて、キャップ２内部を外部と連通し開放し、溜められた内容物を取り出すことができる。
【００３２】
図３は、本発明の計量容器の他の例の上端部分を模式的に断面で示した説明図である。
【００３３】
前例の計量容器では、蓋部材２２とキャップ本体２１の回転自在の嵌合位置を一箇所にしたが、嵌合できる位置を二箇所以上にすることもできる。図３の例では、嵌合溝２２３を一箇所設けて、嵌合リングを第一位置嵌合リング２１４ａと第二位置嵌合リング２１４ｂの二箇所設けている。
【００３４】
嵌合溝２２３に第一位置嵌合リング２１４ａを嵌合させた状態から、嵌合溝２２３に第二位置嵌合リング２１４ｂを嵌合させた状態にすることによって、キャップ２内部の容量を大きくして、倒立と正立の繰り返し回数が多い場合でも、対応できるようにすることができる。
【００３５】
尚、蓋部材２２を上に引張挙げやすくするため、蓋部材２２の天面板２２１には、その周縁部より外側に延びる引き上げ用フランジ２２５を設けている。これによって、嵌合溝２２３に勘合する嵌合リングを第一位置嵌合リング２１４ａから第二位置嵌合リング２１４ｂに引き上げる際、力を伝えやすく持ち上げやすくすることができる。
【００３６】
図４（Ａ）、（Ｂ）は、本発明の計量容器で、容器本体の底部と筒状軸の形状の例を模式的に断面で示した説明図である。
【００３７】
本発明の計量容器では、１回の倒立と正立により、筒状軸の下の内容物が筒状軸に入り込んで、キャップ２の内部に送り込まれる。そのため、１回の倒立と正立により、送られる内容物の特定容量は、筒状軸の内壁の断面の面積に、筒状軸の下端から容器底面の上面までの距離を掛けた体積に略相当する。
【００３８】
しかし、紛粒体の大きさや形状に影響される滑り易さによって、送られる特定容量の安定性が影響される。そのため、内容物が流動しやすい紛粒体の場合は、図４（Ａ）のように、筒状軸の内壁の断面の面積を小さくし、その分、筒状軸の下端から容器底面の上面までの距離を長くして、体積を稼ぐようにする。
【００３９】
逆に、内容物が流動しにくい紛粒体の場合は、図４（Ｂ）のように、筒状軸の内壁の断面の面積を大きくし、その分、筒状軸の下端から容器底面の上面までの距離を短くして、計量してキャップ２の内部に送る内容物の特定容量を調節する。
【符号の説明】
【００４０】
１００・・・計量容器
１・・・容器本体
１１・・・胴部
１２・・・肩部
１３・・・口頚部
１４・・・容器側固定部
１５・・・容器底面
１５１・・・くぼみ部
２・・・キャップ
２１・・・キャップ本体
２１１・・・本体周壁
２１２・・・筒状軸
２１３・・・床板
２１４・・・嵌合リング
２１４ａ・・・第一位置嵌合リング
２１４ｂ・・・第二位置嵌合リング
２１５・・・キャップ側固定部
２１６・・・インナーリング
２１７・・・本体側窓部
２２・・・蓋部材
２２１・・・天面板
２２２・・・蓋周壁
２２３・・・嵌合溝
２２４・・・蓋側窓部
２２５・・・引き上げ用フランジ
【図１】
2015081126.tif 000003
【図２】
2015081126.tif 000004
【図３】
2015081126.tif 000005
【図４】
2015081126.tif 000006
【図５】
2015081126.tif 000007